(57)【要約】【課題】  定期券を購入しても、定期券を利用しない期間が長ければ、実際の乗車実績よりも高い金額を定期券代金として支払ってしまうことになり、将来の利用に対して不安のある利用者は、定期券の購入をためらうことがあった。【解決手段】本発明の定期券有効期間延長システムは、定期券のほとんど利用されなかった期間を定期券の有効期間外とみなし、当該期間だけ有効期間の終了日を延長させる事で、利用者の将来の利用への不安を取り除くことが出来、利用者の定期券の購入を促進させる事が出来る。【選択図】      図１
2006059289.tif 000002
【特許請求の範囲】
【請求項１】
乗車履歴を記憶する乗車履歴記憶部と、
定期券の金額、及び定期券の有効期間を記憶する定期券情報記憶部と、
前記乗車履歴に基づいて、所定期間における乗車金額を算出する乗車金額算出手段と、
前記定期券の金額に基づいて、前記所定期間あたりの定期券の金額を参考金額として算出する参考金額算出手段と、
前記乗車金額と前記参考金額とを比較する比較手段と、
前記参考金額が大きい場合、前記定期券情報記憶部の前記定期券の有効期間を延長させて更新する延長手段とを備えた事を特徴とする定期券有効期間延長システム。
【請求項２】
乗車履歴を記憶する乗車履歴記憶部を参照して、当該乗車履歴に基づいて、所定期間における乗車金額を算出する乗車金額算出ステップと、
定期券の金額、及び定期券の有効期間を記憶する定期券情報記憶部を参照して、当該定期券の金額に基づいて、前記所定期間あたりの定期券の金額を参考金額として算出する参考金額算出ステップと、
前記乗車金額と前記参考金額とを比較する比較ステップと、
前記参考金額が大きい場合、前記定期券情報記憶部の前記定期券の有効期間を延長させて更新する延長ステップとを実行する事を特徴とする定期券有効期間延長方法。
【請求項３】
乗車履歴を記憶する乗車履歴記憶部を参照して、当該乗車履歴に基づいて、所定期間における乗車金額を算出する乗車金額算出手段と、
定期券の金額、及び定期券の有効期間を記憶する定期券情報記憶部を参照して、当該定期券の金額に基づいて、前記所定期間あたりの定期券の金額を参考金額として算出する参考金額算出手段と、
前記乗車金額と前記参考金額とを比較する比較手段と、
前記参考金額が大きい場合、前記定期券情報記憶部の前記定期券の有効期間を延長させて更新する延長手段とを備えた事を特徴とする定期券有効期間延長装置。
【発明の詳細な説明】
【技術分野】
【０００１】
本発明は、電車やバスなどの交通機関で利用される定期券の有効期間を延長するシステムに関し、特に、定期券の利用実績に基づいて、有効期間を延長する定期券有効期間延長システムに関する。
【背景技術】
【０００２】
電車やバスなどの交通機関では、一定期間、一定区間を何回でも乗降できる定期券を発行している。
【０００３】
特許文献１や非特許文献１に開示されているように、最近の定期券には、携帯電話やＩＣカードを用いて、定期券情報とともに、金額情報を登録できるプリペイドカード的な機能を有したものもある。そして、定期券区間以外で乗り降りする際も、自動改札機で定期券区間外の不足分を自動精算できる。
【特許文献１】特開２００２−８３３２２号公報
【非特許文献１】”ＪＲ東日本、「Ｓｕｉｃａ  Ｓｕｉｃａってなに？  Ｓｕｉｃａの特徴」、[online]、[平成１６年７月３０日検索]、インターネット＜ＵＲＬ：http://www.jreast.co.jp/suica/about/merit/index.html＞
【発明の開示】
【発明が解決しようとする課題】
【０００４】
ところで、定期券には、有効期間毎に割引率が定められており、有効期間を長く設定する程、高い割引率となる。
【０００５】
従って、通勤や通学に定期券を利用する利用者は、６ヶ月定期券など、有効期間の長い定期券を利用している。
【０００６】
しかしながら、定期券の有効期間中に出張や入院等の為、長期間、定期券を利用しないことがある。
【０００７】
定期券を利用しない期間が長ければ、高い割引率で定期券を購入しているにも関わらず、実際の乗車実績よりも高い金額を定期券代金として支払ってしまうことになる。
【０００８】
従って、将来の利用に対して不安のある利用者は、定期券の購入をためらうことがあった。
【０００９】
一方、交通機関の運営会社では、定期券の利用を顧客囲い込みの一環とみなし、定期券の利用を促進させたいという要望がある。
【００１０】
本発明は、定期券のほとんど利用なされなかった期間を補填することで、利用者の将来の利用への不安を取り除き、利用者の定期券の購入を促進させることを目的とする。
【課題を解決するための手段】
【００１１】
上記課題を解決する為に、利用者の乗車実績が定期券料金に満たない場合に定期券の有効期間を延長させる事に着目した。
【００１２】
即ち、本発明の定期券有効期間延長システムは、乗車履歴を記憶する乗車履歴記憶部と、  定期券の金額、及び定期券の有効期間を記憶する定期券情報記憶部と、前記乗車履歴に基づいて、所定期間における乗車金額を算出する乗車金額算出手段と、前記定期券の金額に基づいて、前記所定期間あたりの定期券の金額を参考金額として算出する参考金額算出手段と、前記乗車金額と前記参考金額とを比較する比較手段と、前記参考金額が大きい場合、前記定期券情報記憶部の前記定期券の有効期間を延長させて更新する延長手段とを備えた事を特徴とする。
【００１３】
本発明は、上記のように、定期券のほとんど利用されなかった期間を補填する事が出来る。従って、利用者の将来の利用への不安を取り除くことが出来、利用者の定期券の購入を促進させることが出来る。
【発明の効果】
【００１４】
本発明の定期券有効期間延長システムによれば、定期券のほとんど利用されなかった期間を補填する事が出来る。従って、利用者の将来の利用への不安を取り除くことが出来、利用者の定期券の購入を促進させることが出来る。
【発明を実施するための最良の形態】
【００１５】
以下、本発明の実施例を図面に基づいて説明する。
【実施例１】
【００１６】
本発明の実施例に係る定期券有効期間延長システムの処理態様を、図１乃至図７を用いて説明する。
【００１７】
図１は、本実施例に係る定期券有効期間延長システム１の概要を示す構成図である。
【００１８】
図１に示すように、本実施例に係る定期券有効期間延長システム１は、定期券有効期間延長装置２、ＩＣカード定期券３、ネットワーク４、自動改札機５、及び精算機６で構成されている。
【００１９】
定期券有効期間延長装置２は、期間判定部２１、乗車履歴取得部２２、乗車金額算出部２３、参考金額算出部２４、延長可否判定部２５、及び、延長処理部２６で構成されている。
【００２０】
期間判定部２１は、後述する定期情報記憶部３１を参照し、本日日付が所定期間の最終日から所定日数内に含まれるか否か判定するものである。例えば、所定期間が８月１日から８月３１日であり、本日日付が８月３０日であり、所定日数が５日であれば、含まれると判定する。
【００２１】
乗車履歴取得部２２は、後述する乗車履歴記憶部３２から所定期間内における乗車履歴を取得するものである。例えば、８月１日から８月３１日の乗車履歴を取得する。ここで、上記のように、本日日付が８月３０日である場合には、８月１日から８月３０日までの乗車履歴を取得する事になる。
【００２２】
乗車金額算出部２３は、乗車履歴取得部２２で取得した乗車履歴に基づき、定期券を利用して乗り降りした際の運賃の総額を算出するものである。
【００２３】
参考金額算出部２４は、後述する定期情報記憶部３１を参照し、所定期間あたりの定期券金額を参考金額として算出するものである。例えば、６ヶ月定期の１ヶ月あたりの金額を参考金額として算出する。
【００２４】
延長可否判定部２５は、乗車金額算出部２３で算出した所定期間内の運賃の総額、及び、参考金額算出部２４で算出した参考金額に基づいて、定期券の有効期間を延長出来るか否か判定するものである。また、延長可能であると判定した場合、利用者にその旨を報知する。
【００２５】
延長処理部２６は、定期券の有効期間を延長する処理をするものである。
【００２６】
ＩＣカード定期券３は、公知のＩＣカードを利用した定期券の事であり、定期情報記憶部３１、及び乗車履歴記憶部３２で構成される。尚、本実施例では、ＩＣカード定期券３を公知のＩＣカードを利用した定期券として説明するが、携帯電話機にＲＦＩＤタグを備えるように構成する事で、携帯電話機を定期券として利用するものや、現在広く利用されている磁気カード定期券を利用しても構わない。また、本実施例では、ＩＣカード定期券３に定期情報記憶部３１及び乗車履歴記憶部３２を備えるように構成しているが、ＩＣカード定期券３には、当該ＩＣカード定期券を識別出来る識別子を記憶する識別子記憶部のみ備えるようにし、後述するネットワーク４を介して接続された定期券情報管理サーバを設け、当該定期券情報管理サーバに定期券情報記憶部３１及び乗車履歴記憶部３２を備えるようにしても構わない。このようにした場合、定期券情報記憶部３１及び乗車履歴記憶部３２を参照又は更新するには、ネットワーク４を介して、定期券情報管理サーバに接続する事になる。
【００２７】
定期情報記憶部３１は、定期券の有効期間や利用区間等、定期券に関する情報を記憶するものである。
【００２８】
乗車履歴記憶部３２は、乗降履歴を含む、定期券の利用履歴を記憶するものである。
【００２９】
ネットワーク４は、インターネット網、仮想閉域網、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等、専用回線、公衆回線、無線、有線を問わず、各装置や端末が通信可能であれば、如何なる通信ネットワークでも良い。
【００３０】
自動改札機５は、駅やバスの車内などに設置されている公知の自動改札機であり、ＩＣカードリーダライタを備え、ＩＣカード定期券３と情報のやり取りをする事が出来る。
【００３１】
精算機６は、駅やバスの車内などに設置されている公知の精算機の事であり、ＩＣカードリーダライタを備え、ＩＣカード定期券３に現金をチャージしたり、乗り過ごし時の差額清算をしたりするものである。
【００３２】
本実施例では、利用区間、「大久保駅、京橋駅」、有効期間「平成１６年８月１日から平成１７年２月１日」の６ヶ月定期券を利用者が所持しており、平成１６年８月２７日に当該定期券を利用した例を用いて説明をする。また、この利用者は、8月は、出張が多かった為、利用区間内での定期券の利用は少なかったものとして以下説明をする。
【００３３】
図２は、本実施例における定期券有効期間延長システム１の第1の処理をフローチャートで示したものである。
【００３４】
利用者が電車に乗車する為に駅に設置された自動改札機５にＩＣカード定期券３を読み込ませると、自動改札機５は、ＩＣカード定期券３の定期情報記憶部３１を読み込み、読み込んだ情報に基づき、定期券の利用有無を判定する。この入場処理は、公知の自動改札機５の処理を用いており、詳述はしないが、定期券による入場なのか、定期券を利用しない通常の入場なのか判定している。
【００３５】
ここで、図３に定期情報記憶部３１の構成例を示す。
【００３６】
図３に例示する定期情報記憶部３１は、利用者識別子フィールド、有効期間フィールド、利用区間フィールド、定期種別フィールド、金額フィールド、及び、例外期間フィールドで構成されている。
【００３７】
利用者識別子フィールドは、定期券を所有する利用者を識別する識別子が記憶されるフィールドである。尚、本実施例では、利用者識別子で説明するが、定期券を識別する識別子を用いても構わない。
【００３８】
有効期間フィールドは、定期券の有効期間が記憶されるフィールドである。本実施例では、定期券の利用開始日、及び利用終了日を記憶しているが、定期券の利用可能日が判別出来るものであればどのような記憶方法をしても良く、例えば、利用可能日を全て記憶させても良い。
【００３９】
利用区間フィールドは、定期券の利用区間が記憶されるフィールドである。
【００４０】
定期種別フィールドは、定期券の種別が記憶されるフィールドである。本実施例では、６ヶ月定期で説明しているが、他に、１ヶ月、３ヶ月等があり、定期券の種別によって定期券の金額が異なるものになる。
【００４１】
金額フィールドは、定期券の金額が記憶されるフィールドである。
【００４２】
例外期間フィールドは、定期券の有効期間内であるにも関わらず、当該定期券の有効期間外とみなす期間が記憶されるフィールドである。
【００４３】
利用者が電車に乗車する為に駅に設置された自動改札機５にＩＣカード定期券３を読み込ませると、自動改札機５は、ＩＣカード定期券３の定期情報記憶部３１の有効期間フィールド、利用区間フィールド、及び例外期間フィールドを参照し、定期券の利用有無を判定する。そして、当該判定に基づき、定期券利用の乗車、又はプリペイドカード利用の乗車である旨を利用者に報知する。報知は、自動改札機５の備える表示装置等により行われる。そして、乗車履歴記憶部３２に入場した旨を記録する。
【００４４】
ここで、図４に乗車履歴記憶部３２の構成例を示す。
【００４５】
図４に例示する乗車履歴記憶部３２は、乗車日フィールド、乗車駅フィールド、下車駅フィールド、区分フィールド、及び、金額フィールドで構成されている。
【００４６】
乗車日フィールドは、自動改札機５を利用して入場した時の日付が記憶されるフィールドである。
【００４７】
乗車駅フィールドは、自動改札機５を利用して入場した駅の名称が記憶されるフィールドである。
【００４８】
下車駅フィールドは、自動改札機５を利用して出場した駅の名称が記憶されるフィールドである。
【００４９】
区分フィールドは、入場から出場までの利用区間が定期券の利用区間内でのものか、利用区間外のものかが記憶されるフィールドである。本実施例では、利用区間内のものを定期内、利用区間外のものを定期外として説明する。
【００５０】
金額フィールドは、入場から出場までの利用区間における無割引の運賃が記憶されるフィールドである。
【００５１】
自動改札機５は、利用者が入場すると、乗車履歴記憶部３２の乗車日フィールドに本日日付を格納し、乗車駅フィールドに、自動改札機５を設置している駅の名称を格納する。
【００５２】
本実施例では、図４に例示するように、乗車日フィールドに「平成１６年８月２７日」、乗車駅フィールドに「大久保駅」を格納する。
【００５３】
ここで、自動改札機５は、入場の際に、乗車日フィールド、及び乗車駅フィールドに情報を格納し、出場の際に、下車駅フィールド、区分フィールド、及び金額フィールドに情報を格納する。
【００５４】
本実施例では、利用者が大久保駅で入場し、京橋駅で出場するものであった。利用者が京橋駅に設置された自動改札機５を利用して出場する際、図２に示すフローチャートの処理が開始される。
【００５５】
利用者が京橋駅に到着し、京橋駅の自動改札機５の備えるＩＣカードリーダライタにＩＣカード定期券３を読み込ませると、自動改札機５は、乗車履歴記憶部３２の下車駅フィールドに「京橋駅」を格納し、定期情報記憶部３１の有効期間フィールド、及び、利用区間フィールドを参照し、当該入場から出場が定期券の利用範囲に含まれるか否か判定し、含まれる場合、乗車履歴記憶部３２の区分フィールドに「定期内」を、含まれない場合、「定期外」を格納する。そして、含まれない場合には、公知の方法で、差額金額の徴収をする。また、入場から出場に係る無割引の運賃を算出し、乗車履歴記憶部３２の金額フィールドに格納する（Ｓ２−１）。図４に例示するように、「平成１６年８月２７日」のレコードの下車駅フィールドに「京橋駅」、区分フィールドに「定期内」、金額フィールドに「１１１０円」が格納される事になる。
【００５６】
次に、自動改札機５は、ネットワーク４を介して、定期券有効期間延長装置２の期間判定部２１を起動する（Ｓ２−２）。
【００５７】
期間判定部２１は、起動されると、本日日付を取得し、定期情報記憶部３１の有効期間フィールドに記憶された有効期間の利用開始日を参照する。そして、本日日付が利用開始日から何ヶ月目にあたるか算出する。本実施例では、利用開始日が「平成１６年８月１日」であり、本日日付が「平成１６年８月２７日」である為、１ヶ月目である事が分かる。例えば、利用開始日が「平成１６年２月１０日」であり、本日日付が「平成１６年４月２０日」であれば、３ヶ月目である。そして、利用開始日から何ヶ月目かに相当する日付を所定日とする。本実施例では、「平成１６年８月１日」から１ヶ月目である為、所定日は、「平成１６年８月１日」となる。次に、所定期間の最終日を算出する。所定期間は、予め交通機関により定められており、本実施例では、１ヶ月として説明をする。最終日は、所定日から上記のようにして求めた月内の日付の最終日となる。即ち、本実施例では、「平成１６年８月１日」から１ヶ月目の最終日、「平成１６年８月３１日」となる。そして、本日日付が、このようにして求めた所定期間の最終日から所定日数内に含まれるか否か判定する。ここで、本実施例では、所定日数を「５日」として説明する。所定日数が「５日」、所定期間の最終日が「平成１６年８月３１日」であるため、本日日付が「平成１６年８月２７日」から「平成１６年８月３１日」の間であれば、含まれると判定され、本日日付がこの間でなければ、含まれないと判定される事になる。本実施例では、本日日付は、「平成１６年８月２７日」である為、含まれる、と判定される事になる。尚、含まれないと判定されれば、定期券有効期間延長装置１の処理は終了し、利用者は、自動改札機５を通過する事が出来る。
【００５８】
期間判定部２１で、含むと判定された場合、期間判定部２１は、乗車履歴取得部２２を起動する（Ｓ２−３）。
【００５９】
乗車履歴取得部２２は、起動されると、乗車履歴記憶部３２を参照し、期間判定部２１で求めた所定日「平成１６年８月１日」から本日日付「平成１６年８月２７日」に対応する乗車履歴を取得する。ここで、乗車履歴取得部２２では、所定日から所定期間内の乗車履歴を取得する事になるが、本日日付が「平成１６年８月２７日」である為、本実施例では、「平成１６年８月２７日」までの乗車履歴を取得している。本実施例では、図４に例示するレコード全てを取得する事になる。
【００６０】
そして、乗車履歴取得部２２は、乗車金額算出部２３を起動する。
【００６１】
乗車金額算出部２３は、起動されると、乗車履歴取得部２２で取得した所定日から本日日付に対応する乗車履歴の内、区分フィールドが「定期内」である乗車履歴だけ抽出し、当該抽出した乗車履歴の金額フィールドに格納された運賃の総額を算出する。
【００６２】
本実施例では、図４に例示するように、所定日から本日日付に対応する乗車履歴の内、区分フィールドに「定期内」が格納されている乗車履歴は、「平成１６年８月１日」の「大久保駅」から「京橋駅」、「平成１６年８月１日」の「京橋駅」から「大久保駅」、「平成１６年８月２日」の「大久保駅」から「大阪駅」、「平成１６年８月１０日」の「大阪駅」から「大久保駅」、「平成１６年８月２１日」の「大久保駅」から「京橋駅」、「平成１６年８月２１日」の「京橋駅」から「大久保駅」、及び、「平成１６年８月２７日」の「大久保駅」から「京橋駅」である。上記の乗車履歴の金額フィールドの総額は、「７４５０円」である。即ち、利用者は、「平成１６年８月１日」から「平成１６年８月２７日」の間で、定期券を利用して、「７４５０円」分の乗降をした事になる。
【００６３】
乗車金額部算出部２３は、定期券利用時の運賃の総額を算出すると、参考金額算出部２４を起動する（Ｓ２−４）。
【００６４】
参考金額算出部２４は、起動されると、定期情報記憶部３１を参照し、定期券の１ヶ月あたりの金額を算出する。即ち、定期情報記憶部３１の金額フィールド、及び、定期種別フィールドから定期券の金額、及び、定期券の種別を取得する。本実施例では、図３に例示するように、「１５５６４０円」、及び「６ヶ月」であり、１ヶ月あたり、「２５９４０円」となる。ここで、算出した１ヶ月あたりの定期券金額は、「平成１６年８月１日」から「平成１６年８月３１日」までの定期券の金額とみなせる。また、本実施例の本日日付は、「平成１６年８月２７日」であった。従って、「平成１６年８月２８日」から「平成１６年８月３１日」までの利用は不明である。そこで、上記期間の定期券金額を日割りで算出し、１ヶ月あたりの定期券の金額との差を参考金額とする。即ち、１ヶ月あたり「２５９４０円」を「３１日」で割り、余りを繰り上げると、「８３７円」となる。期間は、４日間である為、「平成１６年８月２８日」から「平成１６年８月３１日」までの定期券金額は、「３３４８円」となる。従って、「平成１６年８月１日」から「平成１６年８月２７日」までの定期券金額、即ち、参考金額は、「２２５９２円」となる。
【００６５】
参考金額算出部２４で、参考金額を算出すると、延長可否判定部２５が起動される（Ｓ２−５）。
【００６６】
延長可否判定部２５は、起動されると、乗車金額算出部２３で算出した運賃の総額と、参考金額算出部２４で算出した参考金額と、を比較する。
【００６７】
本実施例では、所定期間内の運賃の総額は、「７４５０円」であり、参考金額は、「２２５９２円」であった。従って、参考金額の方が大きい事が分かる。参考金額の方が大きい場合には、利用者は、所定期間内の乗車、即ち、「平成１６年８月１日」から「平成１６年８月３１日」の利用については、定期券を利用しない方が得である可能性が高いという事になる。従って、利用者は、定期券の購入により不利を受けた事になる。そこで、参考金額の方が大きい場合には、参考金額の方が大きい旨、利用者に報知する（Ｓ２−６）。尚、ここで、参考金額の方が大きい場合に、定期券を利用しない方が特である可能性が高い、としたのは、「平成１６年８月１日」から「平成１６年８月２７日」までの乗車実績と参考金額とを比較している為であり、残り４日間でどれだけの乗車がなされるか不明であるからである。
【００６８】
ここで、利用者への報知を自動改札機５の備える表示装置に表示する例を図５に示す。
【００６９】
自動改札機５の備える表示装置は、利用者の歩行方向に設置されており、利用者に様々な情報を提供する公知のものである。図５の表示例では、乗車金額算出部２３で算出した運賃の総額、及び、参考金額算出部２４で算出した参考金額を表示し、利用金額を払い込む事で、所定期間分、定期券の有効期間の延長を出来る旨、利用者に報知している。この報知をする事で、利用者は、定期券の有効期間の延長の対象となっている事を認識出来る。利用者へ報知後、定期券有効期間延長装置２の処理を終了し、利用者は、自動改札機５を通過する事が出来る。
【００７０】
尚、Ｓ２−５の処理で、運賃の総額の方が大きい場合には、定期券での利用の方が利用者にとって望ましいものであると判定し、定期券有効期間延長装置２の処理を終了し、利用者は、自動改札機５を通過する事が出来る。
【００７１】
次に、定期券の有効期間を延長させる、定期券有効期間延長システムの第２の処理について、図６に示すフローチャートに基づき説明をする。
【００７２】
図２のＳ２−６で、定期券の有効期間の延長の対象となっている旨、報知された利用者は、駅に設置されている精算機６の前に行き、精算機６の備えるＩＣカードリーダライタを利用して、ＩＣカード定期券３を読み込ませる（Ｓ６−１）。
【００７３】
精算機６は、ＩＣカード定期券３を検出すると、ネットワーク４を介して、定期券有効期間延長装置２に接続し、既に説明した、図２のＳ２−２乃至Ｓ２−５の処理を実行させる（Ｓ６−２）。そして、定期券の有効期間の延長の対象であると判定された場合、運賃の総額を精算機６の備える表示装置に表示する。
【００７４】
ここで、図７に精算機６の備える表示装置への表示例を示す。
【００７５】
図７の例では、運賃の総額を表示し、当該運賃の総額を支払う事で、「平成１６年８月１日」から「平成１６年８月３１日」まで定期券の利用はなかったものとみなし、当該期間に相当する期間、定期券の有効期間を延長する旨、表示している。
【００７６】
精算機６は、利用者から運賃の総額、即ち「７４５０円」を受け付けると、ネットワーク４を介して、定期券有効期間延長装置２の延長処理部２６を起動する（Ｓ６−３）。
【００７７】
延長処理部２６は、起動されると、定期情報記憶部３１の有効期間フィールドの利用終了日を１ヶ月延長する（Ｓ６−４）。図３の例では、利用終了日は、「平成１７年２月１日」から「平成１７年３月１日」に変更される。また、「平成１６年８月２７日」から「平成１６年８月３１日」は、定期券の有効期間外とするように、例外期間フィールドに当該期間を格納する。これは、「平成１６年８月１日」から「平成１６年８月３１日」では、定期券の利用をしなかったものとみなしているが、本日日付は、「平成１６年８月２７日」であり、前記期間定期券の利用をさせないようにする必要がある為である。尚、本実施例では、本日日付が「平成１６年８月２７日」であり、本日日付以前での利用がないという前提で例外期間フィールドに上記のように「平成１６年８月２７日」から「平成１６年８月３１日」を格納するようにしたが、定期券の利用をしなかったものとみなす期間、即ち、「平成１６年８月１日」から「平成１６年８月３１日」を例外期間フィールドに格納するようにしても良い。
【００７８】
ここで、自動改札機５は、利用者が入場する際、有効期間フィールド、及び、利用区間フィールドと共に、例外期間フィールドを参照する事で、定期券利用による入場か否か判定するようになっている。
【００７９】
また、本実施例では、定期券の有効期間の延長の対象となった場合、自動改札機５の表示装置で利用者に報知し、精算機６で、延長処理部２６を起動し、定期券の有効期間を延長するようにしたが、図２のＳ２−５の処理で、参考金額の方が大きいと判定された後、ＩＣカード定期券３にチャージされている金額から、自動的に運賃の総額を差し引いて、延長処理部２６を起動し、利用期間の延長をするようにしても良い。この場合、チャージ金額が不足している時のみ、自動改札機５の表示装置で利用者に報知するようにしても良い。
【００８０】
上記のように、本発明の定期券有効期間延長システムは、定期券のほとんど利用なされなかった期間を補填することで、利用者の将来の利用への不安を取り除き、利用者の定期券の購入を促進させることが出来る。
【実施例２】
【００８１】
以下、本発明の定期券有効期間延長システムの他の実施例について説明をする。本実施例における全体構成は、実施例１と同様であるため、説明は省略する。
【００８２】
本実施例では、図２に示す第1の処理のフローチャートのＳ２−５で、参考金額の方が大きい場合に、延長可否判定部２５により、延長処理部２６が起動される。
【００８３】
延長処理部２６は、起動されると、参考金額と所定期間内の運賃の総額との差を算出する。例えば、実施例１で説明したように、参考金額が「２５９４０円」であり、所定期間内の運賃の総額が「７４５０円」であった場合、その差は、「１８４９０円」となる。
【００８４】
延長処理部２６は、参考金額と所定期間内の運賃の総額との差を算出すると、参考金額に基づき、一日当たりの参考金額を算出する。ここでは、実施例１で説明したように、「８３７円」となる。次に、参考金額と所定期間内の運賃の総額との差と一日当たりの参考金額との商を算出する。そうすると、「２２日」となる。即ち、利用者は、定期券を「２２日」分利用していなかった事になる。従って、この「２２日」を延長期間として補填する。尚、本実施例では、余りを切り捨てて説明しているが、切り上げる事で、利用者への更なるサービス向上を図る事も出来る。
【００８５】
そして、定期情報記憶部３１の有効期間フィールドの利用終了日を算出した「２２日」分延長した日付に変更する。この場合、利用終了日は、「平成１７年２月２３日」となる。
【００８６】
このようにする事で、本実施例では、実施例１の図６に示す第２の処理のフローチャートに従った処理をしなくても良い。従って、本実施例では、利用者が自動改札機５を出場する際に定期券の有効期間を延長出来る為、実施例１で説明したように、精算機６の利用や乗車金額の支払いをする必要がない。
【００８７】
上記のように、本発明の定期券有効期間延長システムは、定期券のほとんど利用なされなかった期間を補填することで、利用者の将来の利用への不安を取り除き、利用者の定期券の購入を促進させることが出来る。
【実施例３】
【００８８】
以下、本発明の定期券有効期間延長システムの他の実施例について説明をする。本実施例における全体構成は、実施例１と同様であるため、説明は省略する。
【００８９】
本実施例では、図２に示す第1の処理のフローチャートのＳ２−５で、参考金額の方が大きい場合に、延長可否判定部２５により、延長処理部２６が起動される。
【００９０】
延長処理部２６は、起動されると、乗車履歴記憶部３２を参照して、所定期間内に定期券を利用して乗車した日数を算出する。例えば、図４では、「８月１日」、「８月２日」、「８月１０日」、「８月２１日」、及び「８月２７日」である為、「５日」となる。
【００９１】
延長処理部２６は、定期券を利用して乗車した日数を算出すると、所定期間と当該日数との差を算出する。ここでは、所定期間は、１ヶ月であり、８月の１ヶ月は、３１日である事から、「２６日」となる。従って、この「２６日」を延長期間として補填する。
【００９２】
そして、定期情報記憶部３１の有効期間フィールドの利用終了日を算出した「２６日」分延長した日付に変更する。この場合、利用終了日は、「平成１７年２月２７日」となる。
【００９３】
本実施例では、利用者の定期券の利用実績によっては、交通機関にとって不利になる可能性があるが、このようなサービスをする事で、他社との差別化を図る事が出来、定期券利用者を増加させる事が可能となる。
【００９４】
このようにする事で、本実施例では、実施例１の図６に示す第２の処理のフローチャートに従った処理をしなくても良い。従って、本実施例では、利用者が自動改札機５を出場する際に定期券の有効期間を延長出来る為、実施例１で説明したように、精算機６の利用や乗車金額の支払いをする必要がない。
上記のように、本発明の定期券有効期間延長システムは、定期券のほとんど利用なされなかった期間を補填することで、利用者の将来の利用への不安を取り除き、利用者の定期券の購入を促進させることが出来る。
【００９５】
以上の実施例１乃至実施例３を含む実施形態に関し、更に以下の付記を開示する。
【００９６】
（付記１）  乗車履歴を記憶する乗車履歴記憶部と、
定期券の金額、及び定期券の有効期間を記憶する定期券情報記憶部と、
前記乗車履歴に基づいて、所定期間における乗車金額を算出する乗車金額算出手段と、
前記定期券の金額に基づいて、前記所定期間あたりの定期券の金額を参考金額として算出する参考金額算出手段と、
前記乗車金額と前記参考金額とを比較する比較手段と、
前記参考金額が大きい場合、前記定期券情報記憶部の前記定期券の有効期間を延長させて更新する延長手段とを備えた事を特徴とする定期券有効期間延長システム。
【００９７】
（付記２）  乗車履歴を記憶する乗車履歴記憶部を参照して、当該乗車履歴に基づいて、所定期間における乗車金額を算出する乗車金額算出ステップと、
定期券の金額、及び定期券の有効期間を記憶する定期券情報記憶部を参照して、当該定期券の金額に基づいて、前記所定期間あたりの定期券の金額を参考金額として算出する参考金額算出ステップと、
前記乗車金額と前記参考金額とを比較する比較ステップと、
前記参考金額が大きい場合、前記定期券情報記憶部の前記定期券の有効期間を延長させて更新する延長ステップとを実行する事を特徴とする定期券有効期間延長方法。
【００９８】
（付記３）  乗車履歴を記憶する乗車履歴記憶部を参照して、当該乗車履歴に基づいて、所定期間における乗車金額を算出する乗車金額算出手段と、
定期券の金額、及び定期券の有効期間を記憶する定期券情報記憶部を参照して、当該定期券の金額に基づいて、前記所定期間あたりの定期券の金額を参考金額として算出する参考金額算出手段と、
前記乗車金額と前記参考金額とを比較する比較手段と、
前記参考金額が大きい場合、前記定期券情報記憶部の前記定期券の有効期間を延長させて更新する延長手段とを備えた事を特徴とする定期券有効期間延長装置。
【００９９】
（付記４）  乗車履歴を記憶する乗車履歴記憶部と、
定期券の金額、及び定期券の有効期間を記憶する定期券情報記憶部と、
前記乗車履歴記憶部を参照して、所定期間における乗車履歴を取得し、当該乗車履歴に基づいて、所定期間内における乗車金額を算出する乗車金額算出手段と、
前記定期券情報記憶部を参照して、定期券の金額に基づいて、所定期間あたりの定期券の金額を参考金額として算出する参考金額算出手段と、
前記乗車金額と前記参考金額とを比較する比較手段と、
前記参考金額が大きく、かつ前記乗車金額の払い込みがなされた場合、前記定期券情報記憶部の前記定期券の有効期間を前記所定期間分延長させて更新する延長手段とを備えたことを特徴とする定期券有効期間延長システム。
（付記５）  前記定期券有効期間延長システムは、金銭のチャージを可能とするＩＣカード定期券を含み、
前記乗車金額の払い込みは、前記ＩＣカード定期券にチャージされた金銭に基づき行われる事を特徴とする付記４記載の定期券有効期間延長システム。
（付記６）  前記乗車履歴記憶部及び前記定期券情報記憶部は、前記ＩＣカード定期券に含まれる事を特徴とする付記５記載の定期券有効期間延長システム。
（付記７）  前記参考金額算出手段は、前記参考金額を日割りで算出する事を特徴とする付記４記載の定期券有効期間延長システム。
（付記８）  前記延長手段は、前記所定期間を定期券の有効期間外とする事を特長とする付記４記載の定期券有効期間延長システム。
（付記９）  乗車履歴を記憶する乗車履歴記憶部と、
定期券の金額、及び定期券の有効期間を記憶する定期券情報記憶部と、
前記乗車履歴記憶部を参照して、所定期間における乗車履歴を取得し、当該乗車履歴に基づいて、所定期間内における乗車金額を算出する乗車金額算出手段と、
前記定期券情報記憶部を参照して、定期券の金額に基づいて、所定期間あたりの定期券の金額を参考金額として算出する参考金額算出手段と、
前記乗車金額と前記参考金額とを比較する比較手段と、
前記参考金額が大きい場合、前記参考金額と乗車金額との差に基づき、延長期間を算出し、前記定期券情報記憶部の前記定期券の有効期間を当該延長期間分延長させて更新する延長手段とを備えたことを特徴とする定期券有効期間延長システム。
【０１００】
（付記１０）  乗車履歴を記憶する乗車履歴記憶部と、
定期券の金額、及び定期券の有効期間を記憶する定期券情報記憶部と、
前記乗車履歴記憶部を参照して、所定期間における乗車履歴を取得し、当該乗車履歴に基づいて、所定期間内における乗車金額を算出する乗車金額算出手段と、
前記定期券情報記憶部を参照して、定期券の金額に基づいて、所定期間あたりの定期券の金額を参考金額として算出する参考金額算出手段と、
前記乗車金額と前記参考金額とを比較する比較手段と、
前記参考金額が大きい場合、前記所定期間における乗車履歴に基づき利用日数を算出し、当該所定期間と当該利用日数との差に基づき、延長期間を算出し、前記定期券情報記憶部の前記定期券の有効期間を当該延長期間分延長させて更新する延長手段とを備えたことを特徴とする定期券有効期間延長システム。
【図面の簡単な説明】
【０１０１】
【図１】定期券有効期間延長システムの概要を示す全体構成図である。
【図２】定期券有効期間延長システムの第１の処理のフローチャートである。
【図３】定期情報記憶部のレコード構成例を示す図である。
【図４】乗車履歴記憶部のレコード構成例を示す図である。
【図５】自動改札機の備える表示装置の表示例を示す図である。
【図６】定期券有効期間延長システムの第２の処理のフローチャートである。
【図７】精算機の備える表示装置の表示例を示す図である。
【符号の説明】
【０１０２】
１        定期券有効期間延長システム
２        定期券有効期間延長装置
３        ＩＣカード定期券
４        ネットワーク
【図１】
2006059289.tif 000003
【図２】
2006059289.tif 000004
【図３】
2006059289.tif 000005
【図４】
2006059289.tif 000006
【図５】
2006059289.tif 000007
【図６】
2006059289.tif 000008
【図７】
2006059289.tif 000009